(57)【要約】【課題】繰り返し予約録画機能を維持しつつ、意図しない番組の録画を一時的に休止するとともに、自動的に復帰させる技術を提供する。【解決手段】繰り返し予約録画が可能な番組予約録画装置であって、繰り返し予約録画の設定を行う繰り返し予約録画設定部と、前記繰り返し予約録画設定部により設定された次回以降の繰り返し予約録画の対象番組の予約録画処理をスキップさせる回数を設定する繰り返し予約録画再設定部と、を有する。【選択図】図６
2012160791.tif 000002
【特許請求の範囲】
【請求項１】
繰り返し予約録画が可能な番組予約録画装置であって、
繰り返し予約録画の設定を行う繰り返し予約録画設定部と、
前記繰り返し予約録画設定部により設定された繰り返し対象番組の番組情報を取得する番組情報取得部と、
前記繰り返し予約録画設定部により設定された初回録画対象番組と、次回録画対象番組との番組情報と、を比較する番組情報比較部と、
前記番組情報比較部による比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、前記次回録画対象番組の予約録画処理を時間指定録画処理とする制御を行う制御部と
を有することを特徴とする番組予約録画装置。
【請求項２】
前記番組指定録画処理により録画された録画番組と、前記時間指定録画処理により録画された録画番組と、を識別する識別情報を付加することを特徴とする請求項１に記載の番組予約録画装置。
【請求項３】
前記識別情報に基づいて、前記番組指定録画処理により録画された録画番組と、前記時間指定録画処理により録画された録画番組と、を区別して管理することを特徴とする請求項２に記載の番組予約録画装置。
【請求項４】
前記時間指定録画処理により録画された録画番組を、前記識別情報に基づいて優先的に自動消去することを特徴とする請求項２又は３に記載の番組予約録画装置。
【請求項５】
繰り返し予約録画が可能な番組予約録画装置であって、
繰り返し予約録画の設定を行う繰り返し予約録画設定部と、
前記繰り返し予約録画設定部により設定された繰り返し対象番組の番組情報を取得する番組情報取得部と、
前記繰り返し予約録画設定部により設定された初回録画対象番組と、次回録画対象番組との番組情報と、を比較する番組情報比較部と、
前記番組情報比較部による比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、その旨を報知する制御を行う制御部と
を有することを特徴とする番組予約録画装置。
【請求項６】
繰り返し予約録画が可能な番組予約録画装置であって、
繰り返し予約録画の設定を行う繰り返し予約録画設定部と、
前記繰り返し予約録画設定部により設定された次回以降の繰り返し予約録画の対象番組の予約録画処理をスキップさせる回数を設定する繰り返し予約録画再設定部と、を有することを特徴とする番組予約録画装置。
【請求項７】
前記繰り返し予約録画設定部により設定された繰り返し対象番組の番組情報を取得する番組情報取得部と、
前記繰り返し予約録画設定部により設定された初回録画対象番組と、次回録画対象番組との番組情報と、を比較する番組情報比較部と、
前記番組情報比較部による比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、前記繰り返し予約録画再設定部において設定された回数だけ次回録画対象番組の予約録画処理をスキップする処理とする制御を行う制御部と
を有することを特徴とする請求項６に記載の番組予約録画装置。
【請求項８】
前記予約録画処理がスキップされた場合に、その旨を報知する報知部を有することを特徴とする請求項７に記載の番組予約録画装置。
【請求項９】
請求項１から８までのいずれか１項に記載の番組予約録画装置を備えた電子機器。
【請求項１０】
繰り返し予約録画を行う番組予約録画方法であって、
繰り返し予約録画の設定を行う繰り返し予約録画設定ステップと、
前記繰り返し予約録画設定ステップにより設定された繰り返し対象番組の番組情報を取得する番組情報取得ステップと、
前記繰り返し予約録画設定ステップにより設定された初回録画対象番組と、次回録画対象番組との番組情報と、を比較する番組情報比較ステップと、
前記番組情報比較ステップによる比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、前記次回録画対象番組の予約録画処理を時間指定録画処理とする制御を行うステップと
を有することを特徴とする番組予約録画方法。
【請求項１１】
請求項１０に記載の番組予約録画方法をコンピュータに実行させるためのプログラム。
【発明の詳細な説明】
【技術分野】
【０００１】
本発明は、番組予約録画技術に関し、特に、繰り返し予約録画を再設定する繰り返し録画再設定技術に関する。
【背景技術】
【０００２】
レコーダなどの記録再生装置において、繰り返し録画を予約する繰り返し予約録画機能が設けられている。この、繰り返し予約録画機能とは、例えば、同じチャンネルと同じ時間帯の番組を、１週間にわたって１回の予約設定で予約録画する機能のことである。このような繰り返し予約録画機能を用いると、自動的に複数の番組を予約録画することができるため、便利であるが、一括して予約設定を行うため、不規則な番組設定があると、意図しない番組が知らないうちに録画されていく場合がある。
【０００３】
下記特許文献１に記載の技術では、記録開始時間及び記録終了時間を指定して、所定期間毎に放送されるプログラムを継続的に記録する場合に、そのプログラムが放送されない回の記録を予め計画段階でキャンセルするものである。これにより、意図しないプログラムの記録を回避することができる。
【０００４】
また、下記特許文献２に記載の技術では、繰り返し録画を指定する予約録画を行った場合にも、録画が行われる時刻前に新たな番組詳細データに基づいて予約録画データを修正することで、変更内容に対応することができる予約録画システムが開示されている。
【先行技術文献】
【特許文献】
【０００５】
【特許文献１】特開平１０−２４１２２７号公報
【特許文献２】特開２００２−３２０１８１号公報
【発明の概要】
【発明が解決しようとする課題】
【０００６】
しかしながら、上記特許文献１に記載の技術では、録画計画の段階で、現在から数回先まで、録画を行う回と録画を行わない回との選択を行い、その録画計画のデータに従って予約録画を行うものであり、基本的には、個別に予約録画の設定を行う場合と同等の操作が必要となるという問題がある。
【０００７】
また、上記特許文献２に記載の技術では、予約録画前に新たな番組情報データを受信して番組予約データを修正するものであるが、ユーザの意図しない番組を予約録画してしまう可能性を排除することはできない。また、特許文献２には、最終回などではその旨を検知して以降の予約録画を解除することは開示されているものの、時系列的に途中の段階で番組の繰り返し予約録画をキャンセルするための技術に関する開示はない。
【０００８】
本発明は、繰り返し予約録画機能を維持しつつ、意図する番組の繰り返し録画処理と、意図しない番組の録画処理とを区別する技術を提供することを目的とする。
【課題を解決するための手段】
【０００９】
本発明の一観点によれば、繰り返し予約録画が可能な番組予約録画装置であって、繰り返し予約録画の設定を行う繰り返し予約録画設定部と、前記繰り返し予約録画設定部により設定された繰り返し対象番組の番組情報を取得する番組情報取得部と、前記繰り返し予約録画設定部により設定された初回録画対象番組と、次回録画対象番組との番組情報と、を比較する番組情報比較部と、前記番組情報比較部による比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、前記次回録画対象番組の予約録画処理を時間指定録画処理とする制御を行う制御部と、を有することを特徴とする番組予約録画装置が提供される。前記番組指定録画処理により録画された録画番組と、前記時間指定録画処理により録画された録画番組とを識別する識別情報を付加することが好ましい。
【００１０】
上記制御により、繰り返し予約録画処理の意図に沿った番組指定録画処理と、それ以外の時間指定録画処理とを区別して録画することができる。
【００１１】
前記識別情報に基づいて、前記番組指定録画処理により録画された録画番組と、前記時間指定録画処理により録画された録画番組とを区別して管理するようにしても良い。前記時間指定録画処理により録画された録画番組を、前記識別情報に基づいて優先的に自動消去するようにしても良い。これにより、繰り返し予約録画処理の意図に沿った番組指定録画処理と、それ以外の時間指定録画処理とを区別して管理することが容易になる。
【００１２】
また、本発明は、繰り返し予約録画が可能な番組予約録画装置であって、繰り返し予約録画の設定を行う繰り返し予約録画設定部と、前記繰り返し予約録画設定部により設定された繰り返し対象番組の番組情報を取得する番組情報取得部と、前記繰り返し予約録画設定部により設定された初回録画対象番組と、次回録画対象番組との番組情報と、を比較する番組情報比較部と、前記番組情報比較部による比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、その旨を報知する制御を行う制御部と、を有することを特徴とする番組予約録画装置である。
【００１３】
上記番組予約録画装置によれば、前記次回録画対象番組の番組情報が前記初回録画対象番組の番組情報と異なる場合には、その旨を報知することで、ユーザに繰り返し設定の変更処理を促すことができる。
【００１４】
また、本発明は、繰り返し予約録画が可能な番組予約録画装置であって、繰り返し予約録画の設定を行う繰り返し予約録画設定部と、前記繰り返し予約録画設定部により設定された次回以降の繰り返し予約録画の対象番組の予約録画処理をスキップさせる回数を設定する繰り返し予約録画再設定部と、を有することを特徴とする番組予約録画装置である。
【００１５】
前記繰り返し予約録画設定部により設定された繰り返し対象番組の番組情報を取得する番組情報取得部と、前記繰り返し予約録画設定部により設定された初回録画対象番組と、次回録画対象番組との番組情報と、を比較する番組情報比較部と、前記番組情報比較部による比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、前記繰り返し予約録画再設定部において設定された回数だけ次回録画対象番組の予約録画処理をスキップする処理とする制御を行う制御部と、を有することが好ましい。また、前記予約録画処理がスキップされた場合に、その旨を報知する報知部を有することが好ましい。上記装置よれば、ユーザの設定に基づいて、繰り返し予約録画処理を所望の回数だけスキップさせ、無駄な録画処理を防止することができる。本発明は、上記のいずれか１に記載の番組予約録画装置を備えた電子機器であっても良い。
【００１６】
本発明の他の観点によれば、繰り返し予約録画を行う番組予約録画方法であって、繰り返し予約録画の設定を行う繰り返し予約録画設定ステップと、前記繰り返し予約録画設定ステップにより設定された繰り返し対象番組の番組情報を取得する番組情報取得ステップと、前記繰り返し予約録画設定ステップにより設定された初回録画対象番組と、次回録画対象番組との番組情報と、を比較する番組情報比較ステップと、前記番組情報比較ステップによる比較の結果、前記次回録画対象番組の番組情報が前記初回録画対象番組の番組情報と同じ場合には、前記次回録画対象番組の予約録画処理を番組指定録画処理とし、前記次回録画対象番組の番組情報が前記初回録画対象番組の番組情報と異なる場合には、前記次回録画対象番組の予約録画処理を時間指定録画処理とする制御を行うステップと、を有することを特徴とする番組予約録画方法が提供される。
【００１７】
本発明は、上記に記載の番組予約録画方法をコンピュータに実行させるためのプログラム又は当該プログラムを記録するコンピュータ読みとり可能な記録媒体であっても良い。
【発明の効果】
【００１８】
本発明によれば、繰り返し予約録画機能を維持しつつ、意図する番組の繰り返し録画処理と、意図しない番組の録画処理とを区別することができる。
【図面の簡単な説明】
【００１９】
【図１】本発明の実施の形態によるデジタル放送等の記録再生装置の一構成例を示す機能ブロック図である。
【図２】繰り返し予約録画設定部による繰り返し予約録画の例（ａ）、（ｂ）と、そのスキップ及び復帰の様子（ｃ）を示す図である。
【図３】繰り返し予約録画設定部による繰り返し予約録画が設定済みの状態における予約確認（又は設定）表示画面の一構成例を示す図である。
【図４】図３の表示から、繰り返し設定ボタンが押された場合に表示される繰り返し設定画面の表示例を示す図である。
【図５】繰り返し番組がない旨の報告例の画面表示例（報知画面例）を示す図である。
【図６】本発明の第１の実施の形態による繰り返し録画機能の処理の流れの一例を示すフローチャート図である。
【図７】本発明の第１の実施の形態による繰り返し録画機能の処理におけるスキップ処理の流れの一例を示すフローチャート図である。
【図８】本発明の第２の実施の形態による繰り返し予約録画の処理の流れを示すフローチャート図である。
【図９】本発明の第３の実施の形態による処理の流れを示すフローチャート図である。
【発明を実施するための形態】
【００２０】
本明細書において、繰り返し予約録画機能とは、例えば、同じチャンネルと同じ時間帯の番組を、１週間にわたって１回の予約設定で予約録画する機能のことである。
【００２１】
以下、本発明の実施の形態について図面を参照しながら詳細に説明する。
【００２２】
（第１の実施の形態）
本発明の第１の実施の形態による繰り返し予約録画機能は、予約録画の設定画面又は予約録画の確認画面から、繰り返し録画を１回又は複数回にわたってスキップできる繰り返し予約録画スキップ機能を有することを特徴とする。
【００２３】
まず、本発明の実施の形態による繰り返し予約録画機能を備えた記録再生装置について説明する。図１は、本発明の実施の形態によるデジタル放送等の記録再生装置の一構成例を示す機能ブロック図である。この記録再生装置は、デジタル放送受信装置と一体化されていても良い。
【００２４】
図１に示す記録再生装置は、アンテナＡＴから受信された放送信号から放送番組を選択するチューナなどを含むフロントエンド１と、多重化されている信号を映像信号と音声信号とに分けるデマルチプレクサ３と、暗号化されている映像信号と音声信号とをデコードする映像・音声デコード部１１と、デコードされた音声を出力する音声出力部１３と、デマルチプレクサ３からの出力から番組情報をデコードする番組情報デコード部（番組情報取得部）５と、番組情報から電子番組表（ＥＰＧ）データを生成する番組表データ生成部７と、映像及び番組表示データなどを合成する画面合成部１５と、画面合成部１５で合成された映像を表示する表示部（ディスプレイ）１７と、を有している。尚、音声出力部１３と、表示部１７は、一般的には、テレビジョン装置側に設けられている。
【００２５】
さらに、各機能部全体を制御する制御部（ＣＰＵ）２１と、各種処理をＣＰＵ２１に実行させるためのプログラムなどを格納するメモリ部（ＲＡＭ、ＲＯＭ）２３と、リモコン装置からのリモコン信号を受信するリモコン受光部２５と、番組の録画データを記録する記録部（ＨＤＤ等）２７と、操作部（ＧＵＩで行っても良い）３１と、コンテンツを提供するサーバ装置３５等とネットワークＮＴを介して通信を行うためのインターフェイス部３３と、を有している。以下では、放送波に基づく番組を例に説明するが、コンテンツサーバ等から提供されたコンテンツも予約録画の対象である。
【００２６】
ここで、ＲＯＭに記憶される後述するプログラムによる処理をＣＰＵ２１に実行させることにより、以下の機能部を設けることができる。すなわち、本実施の形態による予約録画装置は、繰り返し予約録画の設定を行う繰り返し予約録画設定部２１ａと、番組情報デコード部５が取得した次回の繰り返し予約の前に対象となる時間帯の放送番組の番組情報と、繰り返し予約録画の対象となる初回の録画番組の番組情報とを比較する番組情報比較部２１ｂと、繰り返し予約録画の再設定を行うための繰り返し予約録画再設定部２１ｃと、を有している。
【００２７】
尚、ここで「番組情報」とは、番組に付属する番組に固有の情報を指し、この情報により番組が繰り返し番組であるか否かを識別できる情報を指す。このような番組情報としては、例えば、番組名であり、この番組名は、放送波中の番組表データから取得することができる。
【００２８】
図２は、繰り返し予約録画設定部２１ａによる繰り返し予約録画の例（ａ）、（ｂ）と、そのスキップ及び復帰の様子（ｃ）を示す図である。図２（ａ）に示す繰り返し予約録画設定部２１ａによる繰り返し予約録画の例では、予約録画の曜日として１週間のうちの月曜日から金曜日までにおいて、チャンネル００１の午後４時から午後５時までの時間帯の番組を一括して録画予約している様子が示されている。図２（ｂ）では、毎週火曜日のチャンネル０８１で、午後９時から午後９時５４分までの番組を繰り返し予約録画する設定の様子が示されている。もちろん、複数の繰り返し予約録画を設定することもできる。図２（ｃ）に示すように、ユーザが番組Ａを図２（ｂ）に示すように繰り返し予約録画を行った場合に、例えば、火曜日の１週目には番組Ａ１、次の週の火曜日（２週目）には番組Ａ２が放送されることが示されており、その番組を予約録画するが、その次の週の火曜日（３週目）には、番組Ａではなく番組Ｂが放送されることがある時点で判明する。ある時点とは、例えば、番組Ｂの放送時刻から約１週間前の時点から実際の番組録画までの時点である。この番組Ｂは、一連の番組Ａ１〜Ａｎ（ｎは２以上の整数）を繰り返し予約とは異なる番組情報（番組名等）を持つ番組であり、ユーザが意図している繰り返し予約録画対象の番組ではない。そこで、その次の週の火曜日（３週目）には、番組Ｂが放送されることを放送波等に含まれる番組情報から取得し、繰り返し予約録画対象の番組ではないことがわかった時点、或いは、番組Ｂの予約録画のある時間だけ前の時点で、次回の録画番組が番組Ｂであることをユーザに報告する。さらに、その次の火曜日（４週目）には、繰り返しの意図に合う番組Ａ３が放送されるため、番組Ｂが放送される１回分（３週目）だけ予約録画をスキップし、再び繰り返し予約録画に復帰する。４週目以降は、番組Ａ３、Ａ４の順番で火曜日の繰り返し予約録画が実行される。
【００２９】
図３から図５までは、本実施の形態による繰り返し予約録画機能に基づく画面例を示す図であり、図６は、本実施の形態による繰り返し録画機能の処理の流れの一例を示すフローチャート図であり、繰り返し録画の処理の流れを示す図である。図６に示すように、録画予約設定時や、或いは、予約済み番組リストなどの表示画面から予約確認画面に遷移させる操作を行うことにより処理が開始され（ステップＳ１：Ｓｔａｒｔ）、ステップＳ２において、予約確認（又は設定）画面が、例えば記録再生装置のＧＵＩ又は接続されているテレビジョン受信装置の表示画面に画面表示される。ここで、繰り返し設定を行うことができる。
【００３０】
図３は、繰り返し予約録画設定部２１ａによる繰り返し予約録画が設定済みの状態における予約確認（又は設定）表示画面の一構成例を示す図である。この予約確認画面１７は、例えば、現在、地デジのテレビ番組表である旨を表示する領域４１と、どの日（今日、すなわち９月７日（火曜日）と、それを含む１週間のいずれの日の予約確認画面であるか（この場合には、今日、すなわち、９月７日（火曜日）の確認画面である旨の下線表示））とを表示する日時表示領域４５と、現在の予約番組のチャンネル及び予約時間帯情報を表示する領域４７と、現在の予約番組の番組名や副題、放送回などの番組情報を表示する領域５１と、繰り返し予約録画機能の設定用ＧＵＩ表示領域５３と、次回の繰り返し録画予定番組の表示領域５５ａと、次回以降の繰り返し録画予定番組の変更等を行うためのＧＵＩ表示領域５７、すなわち、録画予約を変更するボタン５７ａ、変更しないボタン５７ｂ、取り消すボタン５７ｃ、繰り返し設定ボタン５７ｄを有している。
【００３１】
図４は、図３の表示から、繰り返し設定ボタン５７ｄが押された場合に表示される繰り返し設定画面の表示例を示す図である。この繰り返し設定画面では、地上デジタルテレビ番組の繰り返し予約録画設定として、繰り返し録画をＨＤＤに行うことを示す「ＨＤＤ録画」という表示と、繰り返し予約録画の設定日時が毎週火曜日の午後９時から９時５４分までであること、その予約した番組の次回の放送日時、次回予約録画番組の番組名や放送回（ここでは１０回（＃１０））であることが示されている。
【００３２】
また、繰り返し設定用の画面に、繰り返し録画を一時的に休止する（スキップする）ことができる旨の表示と、休止する回数の選択を促す表示と、「変更する」か「変更しない」か、を決定するボタンの表示と、がなされる。ここで、繰り返し設定ボタン６３により、休止を、「しない」、休止する場合に、「１回」、「２回」、…だけ休止（スキップ）する旨を選択することができる。尚、休止（スキップ）とは、指定した回数だけ、繰り返し予約録画をキャンセルし、その後に、繰り返し予約録画処理に復帰させることを指す。
【００３３】
以下、繰り返し録画処理について説明する。図６のステップＳ２で、図３の画面から繰り返し予約録画が設定されると、ステップＳ３において、繰り返し録画処理のうち、第１回目の録画処理である初回録画処理が実行される（初回録画対象番組の録画処理）。初回録画対象番組の録画処理が終了した後に、ステップＳ４において、番組情報デコード部５が、次回の繰り返し録画設定時刻の周辺（例えば前後数時間）の番組情報を取得する。なお、番組情報はステップＳ３の録画処理よりも前に取得していてもよい。
【００３４】
ステップＳ５において、繰り返し録画設定時刻の周辺に、繰り返し対象番組が存在するか否かを確認する。すなわち、ステップＳ３で初回録画した番組の番組情報（番組名等）と、繰り返し録画設定時刻の周辺の番組の番組情報と、を番組情報比較部２１ｂにおいて比較する。番組情報を比較することにより、初回録画した番組の番組情報と繰り返し録画設定時刻の周辺の番組の番組情報とが同じ又は類似していれば、繰り返し録画対象番組有り（次回録画対象番組が録画すべき番組である）と判断して（ステップＳ５でＹＥＳ）、次回録画を番組指定録画とする（ステップＳ６）。番組指定録画においては、番組が指定されているので、時間の延長や短縮があってもその番組を録画するため、時間の延長や短縮に対応することができる。尚、録画開始時刻までに番組情報が更新された場合は、必要に応じて、録画開始・終了時刻を変更する。例えば、野球放送などが延長されていた場合には、番組情報の更新を検知して、野球放送の次の番組が、繰り返し予約された大河番組であった場合などに、その大河番組の変更後の放送時間帯における録画を行う。
【００３５】
初回録画した番組の番組情報と同じ又は類似した番組情報が繰り返し録画設定時刻の周辺で見つからなければ、繰り返し録画対象番組が無いと判断し（ステップＳ５でＮＯ）、次回録画を時間指定録画とする（ステップＳ７）。すなわち、初回録画の設定時間で録画する。そして、ステップＳ６又はステップＳ７から、ステップＳ８に進み、設定時間になると録画が実行され、ステップＳ４に戻る。
【００３６】
図５は、図６のステップＳ５で、繰り返し設定した番組が無い（ＮＯ）の場合に、予約確認（又は設定）表示画面をさせた場合の画面表示例（報知画面例）を示す図である。図５に示す表示は、基本的には図３に示す表示と同様であり、但し、図３の次回予約録画番組表示５５ａが、「指定された番組情報が取得できません。繰り返し設定から予約を休止できます。」というように、繰り返し設定の休止等が可能である旨の表示５５ｂに変更されている。ここで、指定された番組情報が取得できないというのは、番組名や放送時間帯が前回までの繰り返し予約録画番組のそれと異なるものであることを意味している。また、繰り返し設定ボタン５７ｄから予約を休止することができる。
【００３７】
図５に示すような繰り返し設定の休止等が可能である旨の表示５５ｂを確認することで、ユーザは、繰り返し予約録画の設定を変更する必要性があることを時間指定録画が実行されるまでの期間に知ることができる。
【００３８】
尚、ステップＳ５でＮＯの場合には、そのまま、次回録画を時間指定録画とする例について説明したが、ステップＳ５でＮＯの場合に、図５に示すような画面を表示して繰り返し設定した番組が無いことをユーザに報告し、ユーザに、繰り返し予約録画の設定を変更する必要性があることを知らせるとともに、繰り返し設定ボタン５７ｄから予約を休止させたり、設定変更のインターフェイス（図５の符号５３など）を提示したりすることで、予約設定変更操作を容易に行うことができるようにしても良い。
【００３９】
図７は、繰り返し予約録画が設定されていた場合の録画スキップに関連する処理の流れを示すフローチャート図である。図３や図５の予約確認画面から繰り返し設定を選択すると（Ｓｔａｒｔ：ステップＳ１１）、ステップＳ１２で、図４に示す画面表示がなされ、繰り返し予約録画のスキップ処理、すなわち、図４の繰り返し設定の一時的な休止操作及び休止回数の指定（６３）を行うことができる。ステップＳ１２で、図４に示す画面からｎ回（ｎは１以上の整数）のスキップ設定がなされると、まず、ステップＳ１３で繰り返し録画設定時に録画設定した時刻に到達したか否かを判定し、録画設定した時刻になると（ＹＥＳ）、ステップＳ１４で繰り返し録画を１回スキップする。次いで、ステップＳ１５において、ステップＳ１２で設定されていたスキップ回数ｎから１を減算する。ステップＳ１６で、スキップ回数ｎが０であるか否かを判定することで、スキップ回数ｎが０になるまで、ステップＳ１３からステップＳ１６までの処理を繰り返す。スキップ回数ｎが０になると（ステップＳ１６でＹＥＳ）、ステップＳ１７に進み、繰り返し録画を再開する（図６のステップＳ４に進み再開する）。図６と図７との処理によれば、スキップ設定がなされている場合に、録画設定時刻になると録画スキップを行い、設定しておいたスキップ回数ｎを１だけ減算するとともに、スキップ回数ｎが０になるまでは（ステップＳ１６でＮＯ）、録画スキップを繰り返し、スキップ回数ｎが０になると、図６の番組情報取得処理から録画処理の実行を行う処理に復帰する。これにより、予め設定しておいたスキップ回数だけ録画をスキップさせることができるとともに、録画をスキップさせた回数が予め設定しておいたスキップ回数ｎになると、録画処理を行うため、設定したスキップ数に基づいたスキップ処理を行うことができる。
【００４０】
以上に説明したように、本実施の形態による繰り返し予約録画技術においては、繰り返し録画が実行されている期間において、次回の繰り返し予約録画時間帯に放送される番組が、繰り返し予約録画対象番組であると判断された場合には、次回録画を番組指定録画とし、たとえ、前の番組が延長した等の事情により、繰り返し録画番組の放送時間帯がずれた場合でも、確実に次回録画対象番組を録画することができる。一方、繰り返し予約対象番組が無いと判断された場合には、次回録画を時間指定録画とし、一律に録画を行うことができる。その際、設定されたスキップ数に基づいて、録画処理を自動的にスキップさせ、設定された回数スキップが実行されると、次回録画対象番組の録画処理に復帰するので、ユーザに設定に応じた録画を行うことができる。
【００４１】
尚、図５のような繰り返し設定画面を表示させることで、ユーザに、繰り返し設定した番組が無い旨を報知して、繰り返し予約録画用のデータの修正の機会を与え、ユーザは、その際に、番組の予約録画が指定した回数だけスキップし、その後に繰り返し予約録画に復帰するように構成とすることもできる。
【００４２】
従って、簡単な操作で、繰り返し予約録画処理における意図しない特定の番組の繰り返し予約録画をスキップするとともに、その後の繰り返し予約録画処理への復帰を行わせることができるという利点がある。
【００４３】
（第２の実施の形態）
次に、本発明の第２の実施の形態について図面を参照しながら説明を行う。本実施の形態による繰り返し予約録画技術では、繰り返し予約録画の対象でないと判断された場合に、自動的に、次回の予約録画番組の実際の録画処理をキャンセルすることを特徴とする。すなわち、繰り返し録画対象番組があると判断された場合には、そのまま自動的に予約録画を実行し、繰り返し録画対象番組が無いと判断された場合には、その回の予約録画を自動的にスキップするものである。
【００４４】
図８は、本実施の形態による繰り返し予約録画処理の流れを示すフローチャート図である。ステップＳ１からステップＳ５まで及びステップＳ６、８は、図６に示す処理と同じであるので、その説明を省略する。
【００４５】
図８に示すように、ステップＳ５において、繰り返し録画対象番組が無いと判断された場合に（ＮＯ）、ステップＳ２１に進み、次回録画を１回スキップする。次いで、ステップＳ２２において、録画をスキップした旨を表示部１７に表示させるなどして報告する。次いで、ステップＳ４に戻り、次の番組の番組情報を取得する処理を行う。このような、ステップＳ４からステップＳ５でＮＯ、ステップＳ２１、ステップＳ２２、ステップＳ４の処理を繰り返すことにより、繰り返し録画対象番組があると判断される（ステップＳ５でＹＥＳ）まで、自動的にスキップを繰り返す。すなわち、図８に示す処理では、図７に示すように、予めスキップ回数を設定しておかなくても、繰り返し録画対象番組があると判断されるまで繰り返し録画を自動的にスキップするように構成した。従って、スキップ回数等の設定操作が不要であり、操作がより簡単になる。
【００４６】
以上に説明したように、本実施の形態による繰り返し予約録画技術によれば、繰り返し録画が実行されている期間において、次回の繰り返し予約録画時間帯に放送される番組が、繰り返し予約録画対象番組であると判断された場合には、次回録画を番組指定録画とする。一方、繰り返し予約対象番組が無いと判断された場合には、次回の繰り返し予約録画を自動的にキャンセルする処理を行うため、ユーザの操作（スキップ設定など）の負担を省きながら、必要な繰り返し予約録画番組のみを予約録画していくことができる。
【００４７】
（第３の実施の形態）
次に、本発明の第３の実施の形態について図面を参照しながら説明を行う。本実施の形態においては、次回繰り返し予約録画した番組と、繰り返し予約録画を指定した番組とが同じ番組情報（番組名等）を有しているか否かを判定し、異なる番組情報を有する番組の場合にも録画を行うが、同じ番組情報を有する番組と識別できるように、少なくともいずれかの予約録画済み番組に対して、繰り返し対象番組であるか対象外番組であるかを判別できるように、識別情報（対象外である旨の第１の属性情報）を予約録画済み番組に対して付加することを特徴とする。
【００４８】
図９は、本実施の形態による処理の流れを示すフローチャート図であり、ステップＳ５において、繰り返し録画対象番組が無いと判断された場合に（ＮＯ）、次回録画を時間指定録画として（ステップＳ７）録画を実行（ステップＳ８）した後に、この録画済み番組に対して、繰り返し録画処理の対象外である旨の第１の属性情報を付加し（ステップＳ３１）、ステップＳ４の番組情報処理に戻るものである。或いは、ステップＳ５でＹＥＳの番組に対して対象である旨の第２の属性情報を付加しても良いし、両方にそれぞれ属性情報を付加しても良い。
【００４９】
本実施の形態によれば、繰り返し予約録画の対象であるか否かに拘わらず録画を実行するが、録画済みの状態において、繰り返し予約録画の対象であるか否かを判定することができるため、実際に録画済み番組を再生する場合に、参考にすることができ、また、録画済み番組のうちの対象外の番組だけを個別又は一括消去する際の目印にすることができるので処理が簡単になるという利点がある。
【００５０】
また、対象外番組は、一定期間経過後に自動的に削除するようにしても良いし、再生が行われなかった場合のみに削除するようにしても良い。
【００５１】
（変形例）
尚、上記第１の属性情報と第２の属性情報に基づいて、フォルダを分けて録画済み番組を保存するようにすると便利である。すなわち、フォルダを分けて録画済み番組を保存することで、フォルダ単位で対象番組と対象外番組とを管理することにより、録画済み番組の管理が簡単にできるという利点がある。たとえば、対象外番組を一括消去する際に便利である。
【００５２】
上述の実施形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００５３】
例えば、本実施の形態による番組予約録画装置は、一般的な記録再生装置に設けても良いし、テレビ一体型の記録再生装置に設けても良い。或いは、パーソナルコンピュータなどの記録再生機能に付加させるようにしても良い。これらの記録再生装置、テレビ一体型の記録再生装置、パーソナルコンピュータなどの電子機器も、本発明の範疇に入るものである。
【００５４】
また、上述の実施形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００５５】
また、「コンピュータシステム」は、ＷＷＷシステムを利用している場合であれば、ホームページ提供環境（あるいは表示環境）も含むものとする。
【００５６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００５７】
本発明は、番組予約録画装置に利用可能である。
【符号の説明】
【００５８】
ＡＴ…アンテナ、ＮＴ…ネットワーク、１…フロントエンド、３…デマルチプレクサ、５…番組情報デコード部（放送情報取得部）、７…番組表データ生成部、１１…映像・音声デコード部、１３…音声出力部、１５…画面合成部、１７…表示部（ディスプレイ）、２１…制御部、２１ａ…繰り返し予約録画設定部、２１ｂ…番組情報比較部、２１ｃ…繰り返し予約録画再設定部、２３…リモコン受光部、２５…メモリ部、２７…記憶部（ＨＤＤ）、３１…操作部（ＧＵＩ）、３３…インターフェイス部、３５…サーバ。
【図１】
2012160791.tif 000003
【図２】
2012160791.tif 000004
【図３】
2012160791.tif 000005
【図４】
2012160791.tif 000006
【図５】
2012160791.tif 000007
【図６】
2012160791.tif 000008
【図７】
2012160791.tif 000009
【図８】
2012160791.tif 000010
【図９】
2012160791.tif 000011